(57)【要約】【課題】円すいころ軸受の運転中、公転運動による遠心力が軌道輪案内方式の保持器に作用する場合でも、保持器の案内面の偏摩耗を防止する。【解決手段】保持器４の重心Ｇを保持器４の幅Ｗｃの中央に設定する。このため、保持器４の大径側にある第一のリング部９に薄肉領域１５を形成し、保持器４の重心Ｇを幅Ｗｃの中央側に寄せる。また、保持器４の小径側にある第二のリング部１０に周方向等配で穴１４を形成し、穴１４に重り１３を取り付けて保持器４の重量バランスの最終調整を行えるようにする。【選択図】図１
2017214970.tif 000002
【特許請求の範囲】
【請求項１】
軌道輪案内方式の保持器と、前記保持器に保持された円すいころとを備え、
前記保持器が、第一のリング部と、当該第一のリング部よりも小径な外周を有する第二のリング部と、これら二つのリング部間をポケットに区切る複数の柱部とを有する円すいころ軸受において、
前記保持器の重心が、当該保持器の幅の中央に設定されていることを特徴とする円すいころ軸受。
【請求項２】
前記円すいころに線接触する前記柱部の接触領域の中央が、前記保持器の幅の中央に設定されている請求項１に記載の円すいころ軸受。
【請求項３】
前記第一のリング部が、前記保持器の幅一端から一定幅で前記柱部よりも薄い径方向肉厚に設定された薄肉領域を有する請求項１又は２に記載の円すいころ軸受。
【請求項４】
前記第一のリング部が、前記保持器の幅一端を規定する幅縁と、当該幅縁から軸方向に凹んだ切欠き状の凹縁とを有し、前記幅縁が、前記ポケットを周方向に二等分する仮想平面上に位置している請求項１又は２に記載の円すいころ軸受。
【請求項５】
前記第一のリング部が、第一の径方向肉厚に設定された第一の肉厚領域と、当該第一の肉厚領域よりも薄い径方向肉厚に設定された第二の肉厚領域とを有し、前記第一の肉厚領域が、前記ポケットを周方向に二等分する仮想平面上に位置している請求項１又は２に記載の円すいころ軸受。
【請求項６】
前記保持器が、鋼板によって形成されている請求項３から５のいずれか１項に記載の円すいころ軸受。
【請求項７】
前記第二のリング部の周方向等配の複数個所に、重りの取付けに用いる穴が形成されている請求項１から６のいずれか１項に記載の円すいころ軸受。
【請求項８】
前記保持器が、当該保持器の幅一端側と、これと反対の幅他端側の両側で前記軌道輪によって案内されるようになっている請求項１から７のいずれか１項に記載の円すいころ軸受。
【請求項９】
前記保持器が、外輪案内方式のものとなっている請求項１から８のいずれか１項に記載の円すいころ軸受。
【請求項１０】
遊星減速機に備わる遊星回転体とキャリヤとの間に配置される請求項１から９のいずれか１項に記載の円すいころ軸受。
【発明の詳細な説明】
【技術分野】
【０００１】
この発明は、遊星減速機に備わる遊星回転体のような公転部位に好適な円すいころ軸受に関し、特に、保持器を案内することに関する。
【背景技術】
【０００２】
ダンプトラック等では、大きな減速比が得られる遊星減速機がホイールリムの内側に配置されている。遊星減速機に備わる遊星回転体は、リングギア及びサンギア間で自転しながら公転する遊星歯車又は遊星ローラからなり、円すいころ軸受を介してキャリヤのピンに支持されている。
【０００３】
遊星回転体の支持用途のような公転部位に使用される円すいころ軸受の場合、保持器や軸受内部の潤滑油には、保持器の軸受中心軸周りの回転による遠心力のほかに、円すいころ軸受が遊星回転体と一体に公転運動することによる遠心力も作用する。その公転運動による遠心力は、円すいころ軸受に負荷域を生じさせると共に、保持器の変形や偏心、軸受内部の潤滑油の偏りを生じさせる原因となる。保持器案内方式として転動体案内方式を採用すると、その潤滑条件の悪い負荷域において、保持器の偏心によって一部の柱部が転動体に強く当接され、柱部が異常摩耗する恐れがある。これを避けるため、軌道輪案内方式の保持器を採用することが好ましい（例えば、特許文献１）。
【先行技術文献】
【特許文献】
【０００４】
【特許文献１】特開２００８−１９６５８２号公報
【発明の概要】
【発明が解決しようとする課題】
【０００５】
しかしながら、遊星減速機に備わる遊星回転体の支持用途のように、軸受運転中、公転運動による遠心力によって円すいころ軸受の保持器が変形や偏心を繰り返す場合、保持器が振れ回りし、これに伴い、保持器が傾いて保持器の案内面が軌道輪に偏って接触し、その強く接触するところで偏摩耗する可能性がある。また、円すい台形状の保持器は、一度、傾くと、傾いたまま回転する傾向があり、このことも案内面の偏摩耗を促進する原因となる。
【０００６】
そこで、この発明が解決しようとする課題は、円すいころ軸受の運転中、公転運動による遠心力が軌道輪案内方式の保持器に作用する場合でも、保持器の案内面の偏摩耗を防止することにある。
【課題を解決するための手段】
【０００７】
上記の課題を達成するため、この発明は、軌道輪案内方式の保持器と、前記保持器に保持された円すいころとを備え、前記保持器が、第一のリング部と、当該第一のリング部よりも小径な外周を有する第二のリング部と、これら二つのリング部間をポケットに区切る複数の柱部とを有する円すいころ軸受において、前記保持器の重心が、当該保持器の幅の中央に設定されている、という構成を採用したものである。
【０００８】
上記構成によれば、円すいころ軸受が公転運動する遠心力が保持器に作用し、保持器が軸受外径側へ移動する際、保持器の重心が保持器の幅の中央にあるため、保持器が傾きにくくなる。このため、保持器の案内面が偏って軌道輪に接触しにくくなり、これにより、案内面の偏摩耗が防止される。
【発明の効果】
【０００９】
上述のように、この発明は、上記構成の採用により、円すいころ軸受の運転中、公転運動による遠心力が軌道輪案内方式の保持器に作用する場合でも、保持器の案内面の偏摩耗を防止することができる。
【図面の簡単な説明】
【００１０】
【図１】この発明の第一実施例に係るころ軸受を示す断面図
【図２】第一実施例に係る保持器を展開して外径側から示す部分展開図
【図３】第一実施例に係る保持器の第二のリング部の左側面図
【図４】図１のＩＶ−ＩＶ線の部分拡大断面図
【図５】第一実施例に係るころ軸受を備える遊星減速機を示す断面図
【図６】図５のＶＩ−ＶＩ線の断面図
【図７】この発明の第二実施例に係る保持器を図２と同様に示す部分展開図
【図８】この発明の第三実施例に係る保持器を図２と同様に示す部分展開図
【図９】この発明の第四実施例に係る保持器を図２と同様に示す部分展開図
【図１０】この発明の第五実施例に係る保持器を示す部分右側面図
【発明を実施するための形態】
【００１１】
この発明の一例としての実施形態を説明する。
第一実施形態に係る円すいころ軸受では、前記円すいころに線接触する前記柱部の接触領域の中央が、前記保持器の幅の中央に設定されている。
第一実施形態によれば、軸方向に関して、保持器の重心の位置と、円すいころに線接触する前記柱部の接触領域の中央とが一致するように設定されているため、軸受運転中に保持器が傾いた場合でも、保持器が元の姿勢に戻るようになり、案内面の偏摩耗をより防止することができる。
【００１２】
第二実施形態に係る円すいころ軸受では、前記第一のリング部が、前記保持器の幅一端から一定幅で前記柱部よりも薄い径方向肉厚に設定された薄肉領域を有する。
第二実施形態によれば、保持器の大径側にある第一のリング部の断面積を小さくして保持器の大径側の重量を減らし、軸方向に関して、保持器の重心の位置を保持器の幅の中央側へ寄せることができる。また、柱部では肉厚の減少を避けて、保持器の強度を確保することも可能となる。
【００１３】
第三実施形態に係る円すいころ軸受では、前記第一のリング部が、前記保持器の幅一端を規定する幅縁と、当該幅縁から軸方向に凹んだ切欠き状の凹縁とを有し、前記幅縁が、前記ポケットを周方向に二等分する仮想平面上に位置している。
第三実施形態によれば、保持器の大径側にある第一のリング部の断面積を小さくして保持器の大径側の重量を減らし、軸方向に関して、保持器の重心の位置を保持器の幅の中央側へ寄せることができる。また、柱部では肉厚の減少を避けて、保持器の強度を確保することも可能となる。さらに、ポケットの周方向中央の側方（仮想平面上）では、ポケットの四隅の次に高い応力が発生するが、その部分での第一のリング部の断面積減少を避けることもできる。
【００１４】
第四実施形態に係る円すいころ軸受では、前記第一のリング部が、第一の径方向肉厚に設定された第一の肉厚領域と、当該第一の肉厚領域よりも薄い径方向肉厚に設定された第二の肉厚領域とを有し、前記第一の肉厚領域が、前記ポケットを周方向に二等分する仮想平面上に位置している。
第四実施形態によれば、保持器の大径側にある第一のリング部の断面積を小さくして保持器の大径側の重量を減らし、軸方向に関して、保持器の重心の位置を保持器の幅の中央側へ寄せることができる。また、ポケットの周方向中央の側方（仮想平面上）では、ポケットの四隅の次に高い応力が発生するが、その部分での第一のリング部の断面積減少を避けることもできる。
【００１５】
第五実施形態に係る円すいころ軸受では、前記保持器が、鋼板によって形成されている。
第五実施形態は、鋼板製の保持器なので、その第一、第二のリング部及び複数の柱部をプレス加工で一体に形成することができる。その際、上述の第二〜第四実施形態のいずれかのように、保持器の大径側である第一のリング部に、保持器の幅一端から上述の薄肉領域や、凹縁や、第二の肉厚領域をプレス抜きによって加工し、第一のリング部の断面積を小さくすることができる。
【００１６】
第六実施形態に係る円すいころ軸受では、前記第二のリング部の周方向等配の複数個所に、重りの取付けに用いる穴が形成されている。
第六実施形態によれば、保持器の小径側にある第二のリング部の穴に重りを取り付けて、保持器の小径側の重量を変更することが可能なため、保持器の重量バランスの最終調整を行って保持器の重心の位置を調整することができる。
【００１７】
第七実施形態に係る円すいころ軸受では、前記保持器が、当該保持器の幅一端側と、これと反対の幅他端側の両側で前記軌道輪によって案内されるようになっている。
第七実施形態によれば、保持器の幅一端側と幅他端側の両側が軌道輪に案内されるので、保持器の片側のみで案内される場合に比して、案内接触している保持器が傾きにくくなる。
【００１８】
第八実施形態に係る円すいころ軸受では、前記保持器が、外輪案内方式のものとなっている。
外輪で保持器を案内する場合、内輪案内の場合に比して、案内接触の周長が長くなってその案内接触部における周速差及び接触面圧が小さくなる。また、潤滑油が遠心力によって外輪側へ移動するため、その案内接触部で潤滑油が不足しにくく、案内接触部の摩耗や焼付きを防止することが可能である。
【００１９】
第九実施形態に係る円すいころ軸受は、遊星減速機に備わる遊星回転体とキャリヤとの間に配置される。
【実施例】
【００２０】
以下、この発明の第一実施例に係るころ軸受を図１〜図６に基づいて説明する。
図１に示すように、実施例に係るころ軸受は、内輪１と、外輪２と、これら内輪１及び外輪２間に介在する複数の円すいころ３と、これら円すいころ３を保持する保持器４とを備える。内輪１，外輪２及び保持器４は、同じ中心軸（図１中に一点鎖線で示す軸受中心軸）に設定されている。以下、その中心軸に沿った方向のことを単に「軸方向」といい、その中心軸に直角な方向のことを単に「径方向」といい、その中心軸周りの円周方向のことを単に「周方向」という。
【００２１】
内輪１は、外周に円すい面状の軌道面５と、小つば部６と、大つば部７とを有する軌道輪になっている。
【００２２】
外輪２は、内周に円すい面状の軌道面８をもった軌道輪になっている。
【００２３】
保持器４は、円すいころ３の周方向間隔を所定に保ちながら軸受運転中に一体に回転するものである。図１、図２に示す保持器４は、第一のリング部９と、第一のリング部９よりも小径な外周を有する第二のリング部１０と、これら二つのリング部９、１０間をポケット１１に区切る複数の柱部１２と、第二のリング部１０に取り付けられた重り１３とで構成されている。保持器４の外径は、第一のリング部９で規定され、保持器４の内径は、第二のリング部１０で規定されている。
【００２４】
第一のリング部９は、ポケット１１の軸方向幅を規定する二端ｐ１、ｐ２の一端ｐ１から軸方向一方側に位置する部分からなり、周方向全周に亘って連続する部分をもっている。一方、第二のリング部１０は、ポケット１１の軸方向幅を規定する他端ｐ２から軸方向他方側に位置する部分からなり、周方向全周に亘って連続する部分をもっている。
【００２５】
第一のリング部９は、保持器４の幅一端側（図中右側）に位置する。第二のリング部１０は、保持器４の幅一端側と反対側の幅他端側（図中左側）に位置する。ここで、保持器４の幅Ｗｃは、保持器４の軸方向に測った全長のことをいう。保持器４の幅一端側と幅他端側の境界は、保持器４の幅Ｗｃを軸方向に二等分する仮想平面（図１中においてＩＶ−ＩＶ線を含む軸受中心軸に直角な平面に相当）である。保持器４の幅Ｗｃを規定する二端のうち、一端は、第一のリング部９の側面に位置し、これと反対の他端は、重り１３の端面に位置している。
【００２６】
柱部１２は、保持器４のうち、二つのリング部９、１０間に亘る部分からなり、周方向に隣接するポケット１１、１１間を分離している。図示の柱部１２は、円すいころ３の転動面に沿うように傾いている。
【００２７】
ポケット１１は、保持器４に形成された、円すいころ３を収容するための空間のことをいう。ポケット１１は、概ね台形状になっている。内輪１、各ポケット１１に収容された円すいころ３及び保持器４により、内輪アセンブリが構成されている。なお、図２では、ポケット１１の概略形状を示しており、ポケット１１の四隅の盗み部の図示を省略している。
【００２８】
保持器４は、プレス加工で基本的な全体形状を形成可能な板厚の鋼板を材料とし、かご形の打ち抜き保持器の一般的な製造方法によって形成されている。すなわち、第一のリング部９、第二のリング部１０及び複数の柱部１２は、プレス加工によって一体に形成されている。なお、保持器の製造方法は、保持器の形状や材料に応じて、プレス加工、もみ抜き加工、成型等、適宜の加工手段を採用すればよい。保持器を形成する材料として、鋼以外の他の材料、例えば、樹脂、高力黄銅等を採用してもよい。
【００２９】
保持器４は、外輪２の内周によって径方向に案内される軌道輪案内方式のものとなっている。外輪２の軌道面８は、保持器案内面になっている。柱部１２と外輪２の軌道面８との接触によって、保持器４が径方向に案内される。その案内接触の範囲は、概ね外輪２の軌道面８の軸方向幅の全域に亘る。すなわち、保持器４は、保持器４の幅一端側及び幅他端側の両側で外輪２によって案内される。なお、図示例では、保持器４の柱部１２と外輪２の軌道面８間で案内すきまを規定したが、保持器の第一のリング部、第二のリング部と、外輪の軌道面又は外輪の軌道面よりも軸方向外側の内周端部との間で案内すきまを規定するように変更してもよい。また、保持器の第一のリング部、第二のリング部を内輪の外周で案内するように変更してもよい。
【００３０】
図３に第二のリング部１０の左側面視を示す。同図に示すように、第二のリング部１０の周方向等配の複数個所に、重り１３の取付けに用いる穴１４が形成されている。穴１４を規定する内面は、雌ねじになっている。図１に示す重り１３は、穴１４の内面にねじ込まれるビス等のおねじ部品になっている。重り１３は、穴１４の内面に螺合することによって穴１４の内側に取り付けられる。
【００３１】
第一のリング部９は、保持器の幅一端から一定幅で柱部１２よりも薄い径方向肉厚ｔ１に設定された薄肉領域１５を有する。薄肉領域１５は、図示断面形状で周方向全周に亘って連続している。柱部１２の肉厚ｔ２（柱部１２の外周面と内周面間の距離）は、プレス加工された鋼板の板厚と殆ど差のない厚さになっている。薄肉領域１５は、プレス抜きにより、肉厚ｔ２よりも薄い径方向肉厚ｔ１になるように第一のリング部９の断面積を減少させた領域となっている。その径方向肉厚ｔ１は、柱部１２の肉厚ｔ２の半分近くになっている。この第一のリング部９の薄肉領域１５の形成により、保持器４の重心Ｇの位置は、軸方向に関して、保持器４の幅Ｗｃの中央側へ寄せられて、概ね保持器４の幅Ｗｃの中央側に位置するように設定されている。
【００３２】
そして、保持器４の小径側にある第二のリング部１０の穴１４に重り１３が取り付けられることにより、保持器４の小径側の重量が調整されている。このように保持器４の重量バランスの最終調整を行い、保持器４の重心Ｇの位置が、保持器４の中心軸上において、保持器４の幅Ｗｃの中央に位置するように設定されている。ここで、保持器４の幅Ｗｃの中央は、図１中のＩＶ−ＩＶ線に相当する。
【００３３】
なお、重り１３の比重は、第二のリング部１０を形成する材料よりも大きくてもよいし、小さくてもよい。また、比重の相異なる複数種類の重り１３を用いてもよい。同じ比重の重り１３が周方向等配に第二のリング部１０に取り付けられることにより、基本的には、保持器４の中心軸に沿って保持器４の重心Ｇの位置が軸方向に移動させられる。また、保持器４の製造誤差で周方向にアンバランスが生じているとき、アンバランスの方向に応じて比重の異なる重り１３が配置されることにより、アンバランスを解消することも可能である。
【００３４】
軌道輪案内方式の保持器４の場合、軸受運転中、円すいころ３の転動面は、通常、ポケット１１を規定する周方向両側の柱部１２、１２のいずれかと接触する。この接触は、図２、図４に示すように、長さｌをもった線接触となる。その線接触する柱部１２の接触領域の中央（ｌ／２となる位置）ｐ３が、軸方向に関して、保持器４の幅Ｗｃの中央に位置するように設定されている。このように、保持器４の重心Ｇの位置と、円すいころ３に長さｌで線接触する柱部１２の接触領域の中央ｐ３とが一致するように設定されている。このため、軸受運転中に保持器４が傾いた場合でも、円すいころ３が柱部１２を押す力により、保持器４が元の姿勢に戻される。
【００３５】
第一実施例に係るころ軸受を備える遊星減速機の一例を図５、図６に示す。図示のように、この遊星減速機は、入力軸１０１に取り付けた太陽歯車１０２と、ハウジング１０３に固定された内歯車１０４との間に両歯車１０２、１０４に噛み合う遊星歯車としての遊星回転体１０５が複数個配置され、出力軸１０６に連結されたキャリヤ１０７に対して各遊星回転体１０５が回転自在に支持され、太陽歯車１０２と内歯車１０４との間で自転しながら公転する遊星回転体１０５の公転運動が、キャリヤ１０７を介して出力軸１０６に出力されるものである。実施例に係る円すいころ軸受１００は、この遊星減速機に備わる遊星回転体１０５とキャリヤ１０７との間に一対で配置されている。各円すいころ軸受１００の外輪２は、遊星回転体１０５に取り付けられ、遊星回転体１０５と一体に回転する。各円すいころ軸受１００の内輪１は、キャリヤ１０７に設けられた支持軸１０８に取り付けられ、外輪２に対して静止する。
【００３６】
図示の遊星減速機は、超大型ダンプトラックのホイールリムの内側に設けられた終減速装置の第一段目の減速を行うものとなっている。その超大型ダンプトラックは、鉱山用であって積載量３００ｔ以上のものを想定している。本願発明者らが現行の超大型ダンプトラックの終減速装置における使用環境を調べたところ、太陽歯車１０２周りに公転する円すいころ軸受１００の公転直径は５００ｍｍ程度、その公転速度は５００ｒｐｍ程度、このときの軸受回転速度は１３００ｒｐｍ程度、最大の遠心加速度は７５Ｇ程度になっていた。このような強い遠心加速度が作用すると、軸受内部の潤滑油が円すいころ軸受１００の負荷域で希薄になり、負荷域と周方向反対側へ偏る傾向が顕著であった。
【００３７】
第一実施例に係る円すいころ軸受１００は、上述のようなものであり、遊星回転体１０５の公転運動による遠心力が円すいころ軸受１００の保持器４に作用し（図１、図６参照）、保持器４が軸受外径側へ移動する際、保持器４の重心Ｇが保持器４の幅Ｗｃの中央にあるため、保持器４が傾きにくくなる。このため、保持器４の案内面（柱部１２の外周面）が偏って外輪２の軌道面８に接触しにくくなり、これにより、保持器４の案内面の偏摩耗が防止される。このように、第一実施例に係る円すいころ軸受１００は、軸受運転中、公転運動による遠心力が軌道輪案内方式の保持器４に作用する場合でも、保持器４の案内面の偏摩耗を防止することができる。
【００３８】
また、第一実施例に係る円すいころ軸受１００は、軸方向に関して、保持器４の重心Ｇの位置と、円すいころ３に線接触する柱部１２の接触領域の中央ｐ３とが一致するように設定されているため、軸受運転中に保持器４が傾いた場合でも、保持器４が元の姿勢に戻る。このため、第一実施例に係る円すいころ軸受１００は、保持器４の案内面の偏摩耗をより防止することができる。
【００３９】
また、第一実施例に係る円すいころ軸受１００は、第一のリング部９が保持器４の幅一端から一定幅で柱部１２よりも薄い径方向肉厚に設定された薄肉領域１５を有するので、保持器４の大径側にある第一のリング部９の断面積を薄肉領域１５によって小さくして保持器４の大径側の重量を減らし、軸方向に関して、保持器４の重心Ｇの位置を保持器４の幅Ｗｃの中央側へ寄せることができる。また、柱部１２では肉厚の減少を避けて、保持器４の強度を確保することも可能となる。
【００４０】
また、第一実施例に係る円すいころ軸受１００は、鋼板製の保持器４なので、その第一、第二のリング部９、１０及び複数の柱部１２をプレス加工で一体に形成することができる。その際、保持器４の大径側である第一のリング部９に、保持器４の幅一端から上述の薄肉領域１５をプレス抜きによって加工し、第一のリング部９の断面積を小さくすることができる。
【００４１】
また、第一実施例に係る円すいころ軸受１００は、第二のリング部１０の周方向等配の複数個所に、重り１３の取付けに用いる穴１４が形成されているので、その穴１４に重り１３を取り付けて保持器４の小径側の重量を変更することが可能なため、保持器４の重量バランスの最終調整を行って保持器４の重心Ｇの位置を調整することができる。
【００４２】
また、第一実施例に係る円すいころ軸受１００は、保持器４が柱部１２において保持器４の幅一端側及び幅他端側の両側で外輪２（軌道輪）によって案内されるので、保持器４の片側のみで案内される場合に比して、外輪２の内周に案内接触している保持器４が傾きにくくなる。
【００４３】
また、第一実施例に係る円すいころ軸受１００は、保持器４が外輪案内方式のものとなっているので、内輪案内の場合に比して、案内接触の周長が長くなってその案内接触部における周速差及び接触面圧が小さくなる。また、潤滑油が遠心力によって外輪２側へ移動するため、その案内接触部で潤滑油が不足しにくく、案内接触部の摩耗や焼付きを防止することが可能である。
【００４４】
第一実施例では、第一のリング部９に保持器４の幅一端から薄肉領域１５を一定幅で形成することにより、保持器４の大径側の重量を調整したが、第一のリング部に他の形状で重量調整部を形成することも可能である。その一例としての第二実施例を図７に基づいて説明する。なお、以下では、第一実施例との相違点を述べるに留める。
【００４５】
図７に示すように、第二実施例に係る保持器２０では、第一のリング部２１が保持器２０の幅一端を規定する幅縁２２と、当該幅縁２２から軸方向に凹んだ切欠き状の凹縁２３とを有する。幅縁２２は、ポケット１１を周方向に二等分する仮想平面Ｓａ上に位置している。ポケット１１の周方向中央の側方（仮想平面Ｓａ）では、ポケット１１の四隅の次に高い応力が発生する。
【００４６】
凹縁２３は、保持器４の幅一端からの切欠き状なので、鋼板の板厚方向（保持器２０の径方向）のプレス抜きによって形成することが可能である。そのプレス抜き形状は、円弧状となっている。また、凹縁２３の周方向位置は、柱部１２から軸方向に延長した領域上に設定されている。このため、凹縁２３は、周方向等配で第一のリング部２１に形成されており、保持器２０の中心軸に沿って保持器２０の重心を保持器２０の幅の中央側へ寄せる役目を果たす。
【００４７】
このように、第二実施例に係る円すいころ軸受は、保持器２０の大径側にある第一のリング部２１の断面積を凹縁２３によって小さくして保持器２０の大径側の重量を減らし、軸方向に関して、保持器２０の重心の位置を保持器２０の幅の中央側へ寄せることができる。
【００４８】
また、第二実施例に係る円すいころ軸受は、第一のリング部２１に凹縁２３を形成するだけなので、柱部１２では肉厚の減少を避けて、保持器２０の強度を確保することも可能となる。
【００４９】
さらに、第二実施例に係る円すいころ軸受は、比較的応力が発生するポケット１１の周方向中央の側方（仮想平面Ｓａ）の部分において第一のリング部２１の断面積減少を避けることもできる。
【００５０】
この発明の第三実施例に係る円すいころ軸受を図８に基づいて説明する。
第三実施例は、第二実施例から凹縁の形状のみを変更したものである。すなわち、図８に示すように、第三実施例に係る保持器３０は、第一のリング部３１の幅縁３２から軸方向に凹んだ凹縁３３は、プレス抜きによって矩形状に形成されている。
【００５１】
この発明の第四実施例に係る円すいころ軸受を図９に基づいて説明する。
第四実施例は、第三実施例から凹縁の周方向幅のみを変更したものである。すなわち、図９に示すように、第四実施例に係る保持器４０は、第一のリング部４１の幅縁４２に対して凹縁４３の周方向幅が大きくなっている。
【００５２】
上述の第二から第四実施例に例示したように、凹縁の形状や周方向幅は特に限定されるものでなく、ポケット１１の周方向中央の側方（仮想平面Ｓａ）付近において第一のリング部の断面積減少を避けることが肝要である。
【００５３】
この発明の第五実施例に係る円すいころ軸受を図１０に基づいて説明する。
第五実施例に係る保持器５０では、第一のリング部５１が、第一の径方向肉厚ｔ３に設定された第一の肉厚領域５１と、第一の肉厚領域５１よりも薄い径方向肉厚ｔ４に設定された第二の肉厚領域５２とを有する。第一の肉厚領域５１は、上述の第二実施例と同様、ポケットを周方向に二等分する仮想平面Ｓａ上に位置している。第一の径方向肉厚ｔ３は、保持器５０の形成に用いられた鋼板の板厚程度になっている。径方向肉厚ｔ４は、鋼板の板厚の半分程度になっている。第二の肉厚領域５２は、軸方向のプレス抜きによって形成されている
【００５４】
第五実施例に係る円すいころ軸受は、保持器５０の大径側にある第一のリング部５１の断面積を第二の肉厚領域５２によって小さくして保持器５０の大径側の重量を減らし、軸方向に関して、保持器５０の重心の位置を保持器５０の幅の中央側へ寄せることができる。また、第五実施例に係る円すいころ軸受によっても、比較的応力が発生するポケットの周方向中央の側方（仮想平面Ｓａ）の部分において第一のリング部５１の断面積減少を避けることもできる。
【００５５】
今回開示された実施例はすべての点で例示であって制限的なものではないと考えられるべきである。したがって、本発明の範囲は上記した説明ではなくて特許請求の範囲によって示され、特許請求の範囲と均等の意味および範囲内でのすべての変更が含まれることが意図される。
【符号の説明】
【００５６】
１  内輪
２  外輪
３  円すいころ
４、２０、３０、４０、５０  保持器
８  軌道面
９、２１、３１、４１、５１  第一のリング部
１０  第二のリング部
１１  ポケット
１２  柱部
１３  重り
１４  穴
１５  薄肉領域
２２、３２、４２  幅縁
２３、３３、４３  凹縁
５１  第一の肉厚領域
５２  第二の肉厚領域
１００  円すいころ軸受
１０５  遊星回転体
１０７  キャリヤ
Ｗｃ  保持器の幅
Ｇ  重心
Ｓａ  仮想平面
ｐ３  接触領域の中央
【図１】
2017214970.tif 000003
【図２】
2017214970.tif 000004
【図３】
2017214970.tif 000005
【図４】
2017214970.tif 000006
【図５】
2017214970.tif 000007
【図６】
2017214970.tif 000008
【図７】
2017214970.tif 000009
【図８】
2017214970.tif 000010
【図９】
2017214970.tif 000011
【図１０】
2017214970.tif 000012